(57)【要約】【課題】  飾り等の装飾体をシューズバンドに簡単に取り替え可能に取り付けることができ、しかも従来のように足の甲が金具に直接接触するようなことがなく足にも優しいシューズバンドを提供すること。【解決手段】  このシューズバンド１は、バンド本体２の長手方向の少なくとも一部がゴム等からなる弾性体３となっており、該弾性体によりその径が伸縮可能になっている。バンド本体２の適所に外周側片２ａ及び内周側片２ｂで長手方向に重複した部分６が所定長さにわたり設けられ、該重複した部分の外周側片２ａの少なくとも一端寄りに装飾体の取付部を挿し込むための穴８（又は９）が設けられている。【選択図】      図１
0003162645.tif 000002
【実用新案登録請求の範囲】
【請求項１】
バンド本体の長手方向の少なくとも一部がゴム等からなる弾性体となっており、該弾性体によりその径が伸縮可能になっているシューズバンドであって、
前記バンド本体の適所に外周側片及び内周側片で長手方向に重複した部分が所定長さにわたり設けられ、該重複した部分の外周側片の少なくとも一端寄りに装飾体の取付部を挿し込むための穴が設けられていることを特徴とするシューズバンド。
【請求項２】
請求項１に記載のシューズバンドにおいて、重複した部分は、内周側片及び外周側片のいずれか一方が他方よりも少し弛みをもたせて設けられ、かつ該両側片でその短手方向の両縁側が開口した空間が形成されていることを特徴とするシューズバンド。
【請求項３】
請求項２に記載のシューズバンドにおいて、空間は、装飾体の取付部を開口から挿し込んで収容可能な大きさとなっていることを特徴とするシューズバンド。
【請求項４】
請求項１ないし３のいずれかに記載のシューズバンドにおいて、重複した部分は、その周方向となる長手方向の長さが５０ｍｍ前後であることを特徴とするシューズバンド。
【考案の詳細な説明】
【技術分野】
【０００１】
この考案は、ヒール、サンダル、ミユールなどの靴に装着して履いた足を適度に押さえることにより歩き易くすることができるとともに、飾り等の装飾体を簡単に取り替え可能に取り付けることができ、オシャレ感があって女性の足元のファッション性を高めることができるシューズバンド（靴ベルト）に関するものである。
【背景技術】
【０００２】
前記のような靴に関しては、従来から履くと踵がパカパカして歩きにくい、等のいくつかの問題が指摘されていた。そこで、図９に示すような全体がゴム等の弾性体からなるシューズバンド５１（あるいは一部に弾性体を有するシューズバンド）が製品化され、このシューズバンド５１を靴の裏側と足の甲の間に装着することにより、パカパカ感をなくして歩き易くしたものが既に販売されている。
【０００３】
出願人も、先に特許文献１に示すようなシューズバンドを提案した。このシューズバンドは、布地等からなるバンド本体と、該バンド本体の長手方向両端部間を接続してバンド本体とで所要径のリングを形成して設けられたゴム等からなる弾性体とを有し、前記弾性体によりその径が伸縮可能になっており、さらにバンド本体と弾性体は、その接続部において長手方向に重複した部分があり、該重複部分のバンド本体は、常態では弾性体に対して弛んだ形となっているとともに、靴に装着して使用する状態では弾性体が延びることにより弾性体に対して弛みのない形になるように構成されている。シューズバンドをこのような構成にすることにより、ヒールの低い靴に装着して使用した場合でも地面に接して汚れたり、エスカレータのネットに引っかかり事故に巻き込まれることがなく、しかも装飾のために平ベルト状の透けたレース生地を用いることもできるものであり、前記既製品のシューズバンドをさらに便利なようにした。
【０００４】
ところで、前記いずれのシューズバンドも機能的には満足できるものであっても、花柄の飾り等の装飾体を該バンドの表面、つまり足の甲側に取り付けるにはバンド表面に直接縫い付けや接着等で取り付けざるを得ず、現に図９に示すものにあってはバンド５１に飾り５３が直接付いており、取り付けが煩雑であるのに加え、取り付けによりバンドと飾りが一体になるため、バンドと装飾体の両方を気に入らなければ使用されにくいという問題があつた。そのため、図１０に示すように飾り５５をバンドではなく、足を挿入する靴の開口部の前端に金具５６を内側にして取り付ける方法もある。しかし、このような取り付け方法ではシューズバンドと取り付け関係がないため、機能が分散してしまい、シューズバンドそれ自体の装飾化を図ることができない。また、取り外しは可能だが、靴に金具５６を直接付けるため、靴に傷が付いてしまうことがあるし、靴に入れた足の甲が金具に直接接触し、経時の使用により肌に傷ができたり、皮膚がスレて足が痛くなったりする、等の問題があった。
【先行技術文献】
【特許文献】
【０００５】
【特許文献１】実用新案登録第３１５２３７７号公報
【考案の概要】
【考案が解決しようとする課題】
【０００６】
そこでこの考案は、前記のような従来の問題に鑑みて創案されたものであり、飾り等の装飾体をシューズバンドに簡単に取り替え可能に取り付けることができ、しかも従来のように足の甲が金具に直接接触するようなことがなく足にも優しいシューズバンドを提供することを目的とする。
【課題を解決するための手段】
【０００７】
前記の目的を達成するために、請求項１に記載の考案は、バンド本体の長手方向の少なくとも一部がゴム等からなる弾性体となっており、該弾性体によりその径が伸縮可能になっているシューズバンドであって、前記バンド本体の適所に外周側片及び内周側片で長手方向に重複した部分が所定長さにわたり設けられ、該重複した部分の外周側片の少なくとも一端寄りに装飾体の取付部を挿し込むための穴が設けられていることを特徴とする。
【０００８】
請求項２に記載の考案は、請求項１に記載のシューズバンドにおいて、重複した部分は、内周側片及び外周側片のいずれか一方が他方よりも少し弛みをもたせて設けられ、かつ該両側片でその短手方向の両縁側が開口した空間が形成されていることを特徴とする。
【０００９】
請求項３に記載の考案は、請求項２に記載のシューズバンドにおいて、空間は、装飾体の取付部を開口から挿し込んで収容可能な大きさとなっていることを特徴とする。
【００１０】
請求項４に記載の考案は、請求項１ないし３のいずれかに記載のシューズバンドにおいて、重複した部分は、その周方向となる長手方向の長さが５０ｍｍ前後であることを特徴とする。
【考案の効果】
【００１１】
この考案は、前記のようであって、請求項１に記載の考案にあっては、バンド本体の長手方向の少なくとも一部がゴム等からなる弾性体となっており、該弾性体によりその径が伸縮可能になっているシューズバンドであって、前記バンド本体の適所に外周側片及び内周側片で長手方向に重複した部分が所定長さにわたり設けられ、該重複した部分の外周側片の少なくとも一端寄りに装飾体の取付部を挿し込むための穴が設けられているので、該穴にその取付部を挿し込むことにより、飾り等の装飾体をシューズバンドに簡単に取り替え可能に取り付けることができる。しかも、穴に挿し込まれた取付部が重複した部分に収まり、特に足の甲側に重複した部分を形成する内周側片が配置されて、取付部が足の甲に直接当たることがないため、従来のように足の甲が金具に直接接触するようなことがなく、足にも優しいという優れた効果がある。
【００１２】
請求項２ないし４に記載の考案にあっては、さらに、重複した部分が、内周側片及び外周側片のいずれか一方が他方よりも少し弛みをもたせて設けられ、かつ該両側片でその短手方向の両縁側が開口した空間が形成されているので、該空間にその取付部を挿し込むことにより、飾り等の装飾体をシューズバンドに簡単に取り替え可能に取り付けることができる。したがって、このシューズバンドを１つ所有していれば、穴や空間を利用することによって各種の装飾体を取替え可能に取り付けることができ、利便性を高めることができる。
【図面の簡単な説明】
【００１３】
【図１】この考案の実施の形態１に係るシューズバンドを示す斜視図である。
【図２】同上のシューズバンドへの装飾体の取り付け状態を説明するための正面図である。
【図３】同上のシューズバンドの使用例を示す斜視図である。
【図４】同上の異なる取り付け状態を説明するための正面図である。
【図５】同上の変形例１を示す正面図である。
【図６】変形例２を示す正面図である。
【図７】変形例３を示す正面図である。
【図８】実施の形態２に係るシューズバンドを示す斜視図である。
【図９】従来の一例を示す図面である。
【図１０】別の従来の取り付け方法を示す図面である。
【考案を実施するための形態】
【００１４】
この考案の実施の形態を、添付した図面を参照しながら詳細に説明する。
【００１５】
［実施の形態１］
図１において、１はシューズバンドで、このシューズバンド１は、布地等からなる所定長さのバンド本体２と、該バンド本体の長手方向両端部間を接続してバンド本体２とで所要径のリングを形成して所定長さで設けられたゴム等からなる弾性体３とを有し、該弾性体によりその径が伸縮可能になっている。４はバンド本体２と弾性体３の接続部であり、ステッチ縫いやカシメ等により止められている。
【００１６】
バンド本体２の弾性体３と反対側となる箇所にはバンド本体２を形成する２層の外周側片２ａ及び内周側片２ｂにより重複した部分６が所定長さにわたり形成されている。重複した部分６は、バンド本体２の下層である内周側片２ｂに少し弛みをもたせて該部分６の両端をステッチ縫い等で止めてなっている。図面では止めている箇所を破線７で示している。重複した部分６の上層である外周側片２ａの両端止め近く、つまりその一端寄り及び他端寄りには後述する装飾体の止め金具（金具ピン）を挿し込むための穴８，９が設けられている。穴８，９の形状としては、後述する装飾体の金具ピンの形状に適合するもの等、任意のものとすることができる。重複した部分６の外周側片２ａ及び内周側片２ｂの短手方向の両縁側は開口されて前記のように弛みのある空間１０が形成されている。重複した部分６の周方向となる長手方向の長さは３０〜８０ｍｍ、特に５０ｍｍ前後であることが好ましく、このような寸法で形成された空間１０であれば前記装飾体の金具ピンを開口からも収納できる。弾性体３はバンド本体２と異なり１層からなっている。
【００１７】
シューズバンド１の各部の寸法について記すと、バンド本体２の長手方向の長さが１８０ｍｍ前後、弾性体３の長手方向の長さが５０ｍｍ前後で、全周長が重複した部分６の外周側片２ａで測ると２３０ｍｍ前後となっている。また、全幅が２０ｍｍ前後となっている。なお、これら各部の寸法は一例であり、多少異なった寸法としてもよいことは勿論である。
【００１８】
前記のようなシューズバンド１に装飾体として図２に示すような花柄の飾り１２を取り付けるには、飾り１２に取り付けている金具ピン１３の下側ピンを穴８から穴９へ鎖線矢印で示すように空間１０を通すようにして挿し込んで取り付ける。なお、金具ピン１３は下側ピンと上側ピンがばねによって閉じ方向に付勢されており、取り付け時にはばねの付勢に抗して両ピンを開いた状態にする。この取り付け状態では下側ピンの先端が穴９から突出する。使用に際しては、前記のように飾り１２を取り付けたシューズバンド１を、図３に示すように弾性体３の弾性伸縮を利用して所定大きさの径まで伸ばしたうえ、飾り１２が上向きとなるように靴へ装着する。そして、装着後に足を靴に入れれば、シューズバンド１は足の甲と靴の土踏まずの部分とを取り巻く形となり、弾性体３の弾性力によりピッタリと靴と足にフィットするとともに、飾り１２が足の甲の表面に位置して装飾体として機能することになる。
【００１９】
すなわち、靴に入れられた足は、図３に示すようにシューズバンド１の弾性体３の伸びによる適度の圧で押さえられることになる。この状態では足は適度の圧で引っ張られる感じで靴にピッタリとフィットするので、入れた足の踵が従来のようにパカパカすることなくしっかりと固定されて歩き易いものとなる。しかも、土踏まずの部分以外、足の甲側に飾り１２が表示されることになるので、見た目を楽しませて、アクセサリーとしての価値があるものとなる。また、金具ピン１３の下側ピンは空間１０内に収まり、しかも下側ピンは直接足に触れることなく内周側片２ｂを足との間に介在させるため、肌や皮膚に傷を付けることもない。
【００２０】
図４は異なる飾りを取り付ける、異なる使用の態様を示すものである。この態様では飾１４りとして、前記のような金具ピン１３は用いず、別の金具１５を用いる。すなわち、ここに用いる金具１５はピン形式でなく、下側金具と上側金具とで挟持する形式となっている。装飾体として、このような飾り１４を取り付けるには、飾り１４に取り付けている金具１５の上側金具に対して開いた下側金具を一方の開口から空間１０内に通すようにして挿し込んだうえ、上側金具に対して閉じるように外周側片２ａを挟みつけて取り付ける。この際、金具１５の下側金具と上側金具の相対向する面には爪片１６が設けているため、該爪片により挟みつけた外周側片２ａに食い込み易く、固定がしっかりいく。そして、飾り１４を取り付けた後、このシューズバンド１を飾り１４が上向きとなるように靴へ装着する。その後の靴への装着等は前述の通りである。
【００２１】
［変形例１］
図５は変形例１を示すものである。この変形例１では重複した部分６の外周側片２ａの一端寄りにのみ穴８が設けられ、他端寄りには設けていない点で、実施の形態１と相違し、その他の構成は同様となっている。この場合にはシューズバンド１の取り付けに際して、金具ピン１３の下側ピンを穴８から空間１０を通して取り付ける。取り付け状態では下側ピンはほぼ空間１０内に収まってしまう。飾り１２を取り付けた後、このシューズバンド１を飾り１２が上向きとなるように靴へ装着する。その後の靴への装着等は前記した通りである。このように穴８のみ設けたので、実施の形態１のシューズバンド１のように、金具ピン１３の下側ピンの先端が穴９から突出するようなことがなく、突出に伴う見た目の悪さや安全性の懸念がない。
【００２２】
［変形例２］
図６は変形例２を示すものである。この変形例２では重複した部分６の外周側片２ａの中央部に穴１７が設けられている点で、実施の形態１と相違し、その他の構成は同様となっている。この場合にはシューズバンド１の取り付けに際して、金具として螺合あるいは挿脱可能な上金具１８と下金具１９を有し、下金具１９を一方の開口から空間１０内に通すとともに、飾り２０側に取り付けた上金具１８を穴１７から空間１０を通して空間内にある下金具１９に螺合あるいは挿入して取り付ける。取り付け状態では下金具１９は空間１０内に収まってしまう。飾り２０を取り付けた後、このシューズバンド１を飾り２０が上向きとなるように靴へ装着する。その後の靴への装着等は前述の通りである。
【００２３】
［変形例３］
図７は変形例３を示すものである。この変形例３では重複した部分６の外周側片２ａの中央部に穴２２が設けられている点では変形例２と同じであるが、この穴２２が長溝状となっていて、後述のボタンが通せる点において実施の形態１と相違し、その他の構成は同様となっている。穴２２はこの図では外周側片２ａ（バンド本体２）の長手方向に長くなっているが、外周側片２ａの短手方向に長くなるように形成してもよい。この場合にはシューズバンド１の取り付けに際して、飾り２３側に取り付けたボタン２４をワイシャツのボタンを止める要領で穴２２から空間１０内に挿し入れて取り付ける。飾り２３を取り付けた後、このシューズバンド１を飾り２３が上向きとなるように靴へ装着する。その後の靴への装着等は前述の通りである。
【００２４】
［実施の形態２］
図８は実施の形態２を示すものである。この実施の形態２のシューズバンド３１ではバンド本体３２の全体が弾性体からなっている点で、実施の形態１のシューズバンド１のように一部が弾性体３となっているものと相違する。したがって、このシューズバンド３１では、バンド本体３２は２層の弾性を有する外周側片３２ａ及び内周側片３２ｂの両端部がステッチ縫いやカシメ等により止められ、その反対側に重複した部分３６が形成されている。３４はその接続部である。また、重複した部分３６の外周側片２ａには実施の形態１と同様に装飾体の止め金具を挿し込むための穴３８，３９が設けられている点や、重複した部分３６の外周側片３２ａ及び内周側片３２ｂの短手方向の両縁側は開口されて前記のように弛みのある空間４０が形成されている点、は前述の通りである。
【００２５】
この実施の形態２のシューズバンド３１においても、装飾体として花柄の飾り１２を取り付けるには、実施の形態１のシューズバンド１と同様に行う。すなわち、特に図示はしていないが、図２に示したように、飾り１２に取り付けている金具ピン１３の下側片を穴３８から穴３９へ空間４０を通すようにして挿し込んで取り付ける。飾り１２を取り付けた後の靴への装着等も同様であり、シューズバンド１と同様な作用効果が期待できる。
【００２６】
前記のようであって、実施の形態１，２のいずれのシューズバンド１，３１においても重複した部分６，３６の外周側片２ａ，３２ａの一端寄り及び他端寄りに装飾体の取付部を挿し込むための穴８，９，３８，３９が設けられているので、該穴にその取付部としての金具ピンの下側ピンを挿し込むことにより、飾り等の装飾体をシューズバンドに簡単に取り替え可能に取り付けることができる。しかも、穴に挿し込まれた下側ピンが重複した部分に収まり、特に足の甲側に重複した部分を形成する内周側片が配置されて直接当たることがないため、従来のように足の甲が金具に直接接触するようなことがない。したがって、安全性の高い製品として提供することができる。また、重複した部分６，３６が、内周側片２ｂ，３２ｂが外周側片２ａ，３２ａよりも少し弛みをもたせて設けられ、かつ該両側片でその短手方向の両縁側が開口した空間１０，４０が形成されているので、該空間にその取付部としての金具の下側金具を挿し込むことにより、飾り等の装飾体をシューズバンドに簡単に取り替え可能に取り付けることができる。したがって、異なる取付部を有する装飾体にも十分に対応でき、多用途の使用が可能となる。
【００２７】
前記の実施の形態１，２は、あくまでも好ましい一例を示したにすぎず、必ずしも図示したものに限定されるわけではない。すなわち、実施の形態ではバンド本体の全体を２層構造とし、この２層構造の外周側片及び内周側片を利用して重複した部分６，３６を形成したが、重複した部分を形成するその一部のみ２層構造とし、他は１層構造とする設計でもよい。また、重複した部分６，３６の外周側片に形成した穴の大きさや位置等も実施に際して適宜、その設計を変更、修正することができるものである。さらに、装飾体としての飾りも一例を挙げたにすぎず、他の任意の飾りでも構わないことは言うまでもない。
【符号の説明】
【００２８】
１，３１  シューズバンド
２，３２  バンド本体
２ａ，３２ａ  外周側片
２ｂ，３２ｂ  内周側片
３  弾性体
４，３４  接続部
６，３６  重複した部分
８，９，１７，２２，３８，３９  穴
１０，４０  空間
１２，１４，２０，２３  飾り（装飾体）
１３  金具ピン
１５  金具
１８  上金具
１９  下金具
２４  ボタン
【図１】
0003162645.tif 000003
【図２】
0003162645.tif 000004
【図３】
0003162645.tif 000005
【図４】
0003162645.tif 000006
【図５】
0003162645.tif 000007
【図６】
0003162645.tif 000008
【図７】
0003162645.tif 000009
【図８】
0003162645.tif 000010
【図９】
0003162645.tif 000011
【図１０】
0003162645.tif 000012